(57)【特許請求の範囲】
【請求項１】
救急移動体で搬送された搬送者に関する情報であって、搬送者の搬送先の医療機関と、搬送時の前記搬送者のＣＰＡの有無に関する情報と、予後調査に関する情報の入力の有無に関する情報とを少なくとも含む搬送者情報が格納された医療機関データベースと、
医療機関の医療機関端末と、
搬送者情報のうち予後調査に該当する案件の情報を、前記医療機関端末に送信する医療機関サーバと
を有し、
前記医療機関サーバは、
前記医療機関端末との間で情報の送受信を行う送受信手段と、
前記送受信手段を介して受信したユーザ識別情報を照合する照合手段と、
前記照合の結果が前記予後調査の入力権限を有する場合、前記ユーザ識別情報に対応付けられた医療機関を搬送先とし、搬送者が搬送時に心肺停止状態（CPA: Cardio pulmonary arrest）であり、予後調査に関する情報が未入力である検索条件に該当する搬送者情報を、前記医療機関データベースから検索する検索手段と、
前記検索結果に基づいて、予後調査の入力案件の予後調査一覧情報を生成し、前記予後調査一覧情報を前記送受信手段を介して、前記ユーザ識別情報を送信した前記医療機関端末に送信する予後調査一覧情報生成手段と
前記医療機関端末において前記予後調査一覧情報から選択された予後調査の案件の搬送者情報から予後調査の入力に必要な予後調査入力情報を生成し、前記送受信手段を介して前記医療機関端末に送信する予後調査入力情報生成手段と、
前記医療機関端末において前記予後調査入力情報を用いて予後調査情報が入力された案件について、前記医療機関データベースの搬送者情報を更新する医療機関データベース更新手段と、
消防データベースに格納されている前記搬送者情報を少なくとも含む救急搬送者情報のうち予後調査が入力された案件を更新するために用いられる前記予後調査情報を、前記消防データベースを更新する消防サーバに送信する送信手段と
を有し、
前記医療機関端末は、
前記医療機関サーバとの間で情報の送受信を行う送受信手段と、
前記送受信手段を介して、ユーザ識別情報を前記医療機関サーバに送信し、認証を行う認証手段と、
前記送受信手段を介して前記予後調査一覧情報を受信し、前記予後調査一覧情報に基づいて、予後調査の入力案件の一覧を表示する表示手段と
表示される予後調査の入力案件の一覧から、予後調査を入力する案件を選択する選択手段と、
前記選択された案件の予後調査入力情報に基づいて、予後調査に関する情報の入力画面を表示する予後調査入力画面表示手段と、
前記入力画面に基づいて、予後調査情報を入力する手段と
を有する予後調査支援システム。
【請求項２】
前記検索条件に、搬送後から所定期間内に、予後調査が入力されていない案件である条件を加える
請求項１に記載の予後調査支援システム。
【請求項３】
消防データベースと、消防サーバとを有し、
前記消防データベースは、前記医療機関データベースに格納されている搬送者情報を少なくとも含む救急搬送者情報が格納されており、
前記消防サーバは、
前記予後調査情報を受信し、前記医療機関データベースに格納されている対応する緊急搬送者情報を更新する更新手段と、
予後調査情報の閲覧要求に応答して、前記消防データベースの救急搬送者情報から予後調査情報を出力する出力手段と
を有する
請求項１又は請求項２に記載の予後調査支援システム。
【請求項４】
搬送者情報のうち予後調査に該当する案件の情報を、権限ある医療機関端末に送信する医療機関サーバであって、
救急移動体で搬送された搬送者に関する情報であって、搬送者の搬送先の医療機関と、搬送時の前記搬送者のＣＰＡの有無に関する情報と、予後調査に関する情報の入力の有無に関する情報とを少なくとも含む搬送者情報が格納された医療機関データベースと、
前記医療機関端末との間で情報の送受信を行う送受信手段と、
前記送受信手段を介して受信したユーザ識別情報を照合する照合手段と、
前記照合の結果が予後調査の入力権限を有する場合、前記ユーザ識別情報に対応付けられた医療機関を搬送先とし、搬送者が搬送時に心肺停止状態（CPA: Cardio pulmonary arrest）であり、予後調査に関する情報が未入力である検索条件に該当する搬送者情報を、
前記医療機関データベースから検索する検索手段と、
前記検索結果に基づいて、予後調査の入力案件の予後調査一覧情報を生成し、前記予後調査一覧情報を前記送受信手段を介して、前記ユーザ識別情報を送信した前記医療機関端末に送信する予後調査一覧情報生成手段と、
前記医療機関端末において前記予後調査一覧情報から選択された予後調査の案件の搬送者情報から予後調査の入力に必要な予後調査入力情報を生成し、前記送受信手段を介して前記医療機関端末に送信する予後調査入力情報生成手段と、
前記医療機関端末において前記予後調査入力情報を用いて予後調査情報が入力された案件について、前記医療機関データベースの搬送者情報を更新する医療機関データベース更新手段と、
消防データベースに格納されている前記搬送者情報を少なくとも含む救急搬送者情報のうち予後調査が入力された案件を更新するために用いられる前記予後調査情報を、前記消防データベースを更新する消防サーバに送信する送信手段と
を有する医療機関サーバ。
【請求項５】
前記検索条件に、搬送後から所定期間内に、予後調査が入力されていない案件である条件を加える
請求項４に記載の医療機関サーバ。
【請求項６】
救急移動体で搬送された搬送者に関する情報であって、搬送者の搬送先の医療機関と、搬送時の前記搬送者のＣＰＡの有無に関する情報と、予後調査に関する情報の入力の有無に関する情報とを少なくとも含む搬送者情報が格納された医療機関データベースと、医療機関の医療機関端末と、医療機関サーバとを有するシステムにおける予後調査支援方法であって、
前記医療機関端末は、ユーザ識別情報を前記医療機関サーバに送信し、
前記医療機関サーバは、受信したユーザ識別情報を照合し、前記照合の結果が予後調査の入力権限を有する場合、前記ユーザ識別情報に対応付けられた医療機関を搬送先とし、搬送者が搬送時に心肺停止状態（CPA: Cardio pulmonary arrest）であり、予後調査に関する情報が未入力である検索条件に該当する搬送者情報を、前記医療機関データベースから検索し、前記検索結果に基づいて、予後調査の入力案件の予後調査一覧情報を生成し、前記予後調査一覧情報を、前記ユーザ識別情報を送信した前記医療機関端末に送信し、
前記医療機関端末は、前記予後調査一覧情報を受信し、前記予後調査一覧情報に基づいて、予後調査の入力案件の一覧を表示し、表示される予後調査の入力案件の一覧から、予後調査を入力する案件を選択し、
前記医療機関サーバは、前記医療機関端末において選択された予後調査の案件の搬送者情報から予後調査の入力に必要な予後調査入力情報を生成し、前記医療機関端末に送信し、
前記医療機関端末は、前記予後調査入力情報に基づいて、予後調査に関する情報の入力画面を表示し、予後調査情報を入力し、
前記医療機関サーバは、前記医療機関端末において予後調査情報が入力された案件について、前記医療機関データベースの搬送者情報を更新し、消防データベースに格納されている前記搬送者情報を少なくとも含む救急搬送者情報のうち予後調査が入力された案件を更新するために用いられる前記予後調査情報を、前記消防データベースを更新する消防サーバに送信する
予後調査支援方法。
【請求項７】
前記検索条件に、搬送後から所定期間内に、予後調査が入力されていない案件である条件を加える
請求項６に記載の予後調査支援方法。
【請求項８】
消防データベースと、消防サーバとを有し、
前記消防データベースは、前記医療機関データベースに格納されている搬送者情報を少なくとも含む救急搬送者情報が格納されており、
前記消防サーバは、前記予後調査情報を受信し、前記医療機関データベースに格納されている対応する緊急搬送者情報を更新し、
前記消防サーバは、予後調査情報の閲覧要求に応答して、前記消防データベースの救急搬送者情報から予後調査情報を出力する
請求項６又は請求項７に記載の予後調査支援方法。
【請求項９】
救急移動体で搬送された搬送者に関する情報であって、搬送者の搬送先の医療機関と、搬送時の前記搬送者のＣＰＡの有無に関する情報と、予後調査に関する情報の入力の有無に関する情報とを少なくとも含む搬送者情報が格納された医療機関データベースと通信可能な医療機関サーバのプログラムであって、
受信したユーザ識別情報を照合する処理と、
前記照合の結果が予後調査の入力権限を有する場合、前記ユーザ識別情報に対応付けられた医療機関を搬送先とし、搬送者が搬送時に心肺停止状態（CPA: Cardio pulmonary arrest）であり、予後調査に関する情報が未入力である検索条件に該当する搬送者情報を、前記医療機関データベースから検索する処理と、
前記検索結果に基づいて、予後調査の入力案件の予後調査一覧情報を生成する処理と、
前記予後調査一覧情報を、前記ユーザ識別情報を送信した医療機関端末に送信する処理と、
前記医療機関端末において前記予後調査一覧情報から選択された予後調査の案件の搬送者情報から予後調査の入力に必要な予後調査入力情報を生成し、前記医療機関端末に送信する処理と、
前記医療機関端末において前記予後調査入力情報を用いて予後調査情報が入力された案件について、前記医療機関データベースの搬送者情報を更新する処理と、
消防データベースに格納されている前記搬送者情報を少なくとも含む救急搬送者情報のうち予後調査が入力された案件を更新するために用いられる前記予後調査情報を、前記消防データベースを更新する消防サーバに送信する処理と
を医療機関サーバに実行させるプログラム。
【発明の詳細な説明】
【技術分野】
【０００１】
本発明は、予後調査支援システム、サーバ、予後調査支援方法及びプログラムに関する。
【背景技術】
【０００２】
急病人やケガ人など、救急車で搬送されるべき傷病者が発生した場合、消防指令センターに連絡が入り、消防指令センターは、傷病者のもとへ救急隊員を派遣する。そして、傷病者のもとへ到着した救急隊員は、傷病者に応急処置を施すと共に、救急車によって傷病者を病院へ搬送する。その際、救急隊員は、例えば、出場隊員の氏名及び所属等の情報、出動時刻、現着時刻、帰署時刻等の時刻情報、覚知情報、発生場所情報等の発生情報、搬送者の氏名、住所、年齢、呼吸回数、脈拍回数、血圧、心電図データなどのバイタルデータ、搬送時の心肺停止状態（CPA: Cardio pulmonary arrest）、傷病者の頭部、頸部、胸部、腹部などの観察結果、酸素投与、気道確保、薬剤投与などの処置情報等の搬送者に関する搬送者情報を、報告書に記録する。その報告書は、搬送先の医療機関により、搬送者の処置に用いられる。
【０００３】
例えば、特許文献１には、主サーバが、救急隊員により端末コンピュータに入力された患者データと、病院の位置、空きベッド情報、担当医師の手空き状況、専門科目等の各病院の病院情報等を用いて患者の搬送先を決定する救急支援システムが記載されている。
【先行技術文献】
【特許文献】
【０００４】
【特許文献１】国際公開２０１３／０６５１１３号公報
【発明の概要】
【発明が解決しようとする課題】
【０００５】
ところで、消防法により、地方公共団体における消防は国（消防庁）に年１回、心肺停止状態（CPA: Cardio pulmonary arrest）で搬送された搬送者について予後の情報（予後調査）を報告することが義務付けられている。そして、この予後調査の確認は、従来、消防から医療機関に、電話、メール、郵送等で確認し、それらの情報を集計して、年１回、１年分のデータを抽出して国（消防庁）に送付していた。
【０００６】
しかしながら、この業務は多くの搬送者情報の中から、心肺停止状態（CPA: Cardio pulmonary arrest）で搬送された搬送者の案件を選別し、搬送先の医療機関に問い合わせるため、多くの時間と労力を必要としていた。
【０００７】
また、予後調査を依頼される医療機関でも、確認しなければならない予後調査の対象者の情報を、容易に把握することはできない。
【０００８】
また、上記特許文献１の発明は、患者の搬送先を決定するものであり、予後調査に関する処理を行うものではない。
【０００９】
そこで、本発明は、消防及び医療機関の予後調査にかかる労力を軽減する予後調査支援システム、サーバ、予後調査支援方法及びプログラムを提供することにある。
【課題を解決するための手段】
【００１０】
本発明の予後調査支援システムは、救急移動体で搬送された搬送者に関する情報であって、搬送者の搬送先の医療機関と、搬送時の前記搬送者のＣＰＡの有無に関する情報と、予後調査に関する情報の入力の有無に関する情報とを少なくとも含む搬送者情報が格納された医療機関データベースと、医療機関の医療機関端末と、搬送者情報のうち予後調査に該当する案件の情報を、前記医療機関端末に送信する医療機関サーバとを有し、前記医療機関サーバは、前記医療機関端末との間で情報の送受信を行う送受信手段と、前記送受信手段を介して受信したユーザ識別情報を照合する照合手段と、前記照合の結果が予後調査の入力権限を有する場合、前記ユーザ識別情報に対応付けられた医療機関を搬送先とし、搬送者が搬送時に心肺停止状態（CPA: Cardio pulmonary arrest）であり、予後調査に関する情報が未入力である検索条件に該当する搬送者情報を、前記医療機関データベースから検索する検索手段と、前記検索結果に基づいて、予後調査の入力案件の予後調査一覧情報を生成し、前記予後調査一覧情報を前記送受信手段を介して、前記ユーザ識別情報を送信した前記医療機関端末に送信する予後調査一覧情報生成手段とを有し、前記医療機関端末は、前記医療機関サーバとの間で情報の送受信を行う送受信手段と、前記送受信手段を介して、ユーザ識別情報を前記医療機関サーバに送信し、認証を行う認証手段と、前記送受信手段を介して前記予後調査一覧情報を受信し、前記予後調査一覧情報に基づいて、予後調査の入力案件の一覧を表示する表示手段とを有する。
【００１１】
本発明の医療機関サーバは、搬送者情報のうち予後調査に該当する案件の情報を、権限ある医療機関端末に送信する医療機関サーバであって、救急移動体で搬送された搬送者に関する情報であって、搬送者の搬送先の医療機関と、搬送時の前記搬送者のＣＰＡの有無に関する情報と、予後調査に関する情報の入力の有無に関する情報とを少なくとも含む搬送者情報が格納された医療機関データベースと、前記医療機関端末との間で情報の送受信を行う送受信手段と、前記送受信手段を介して受信したユーザ識別情報を照合する照合手段と、前記照合の結果が予後調査の入力権限を有する場合、前記ユーザ識別情報に対応付けられた医療機関を搬送先とし、搬送者が搬送時に心肺停止状態（CPA: Cardio pulmonary arrest）であり、予後調査に関する情報が未入力である検索条件に該当する搬送者情報を、前記医療機関データベースから検索する検索手段と、前記検索結果に基づいて、予後調査の入力案件の予後調査一覧情報を生成し、前記予後調査一覧情報を前記送受信手段を介して、前記ユーザ識別情報を送信した前記医療機関端末に送信する予後調査一覧情報生成手段とを有する。
【００１２】
本発明の予後調査支援方法は、救急移動体で搬送された搬送者に関する情報であって、搬送者の搬送先の医療機関と、搬送時の前記搬送者のＣＰＡの有無に関する情報と、予後調査に関する情報の入力の有無に関する情報とを少なくとも含む搬送者情報が格納された医療機関データベースと、医療機関の医療機関端末と、医療機関サーバとを有するシステムにおける予後調査支援方法であって、前記医療機関端末は、ユーザ識別情報を前記医療機関サーバに送信し、前記医療機関サーバは、受信したユーザ識別情報を照合し、前記照合の結果が予後調査の入力権限を有する場合、前記ユーザ識別情報に対応付けられた医療機関を搬送先とし、搬送者が搬送時に心肺停止状態（CPA: Cardio pulmonary arrest）であり、予後調査に関する情報が未入力である検索条件に該当する搬送者情報を、前記医療機関データベースから検索し、前記検索結果に基づいて、予後調査の入力案件の予後調査一覧情報を生成し、前記予後調査一覧情報を、前記ユーザ識別情報を送信した前記医療機関端末に送信し、前記医療機関端末は、前記予後調査一覧情報を受信し、前記予後調査一覧情報に基づいて、予後調査の入力案件の一覧を表示する。
【００１３】
本発明のプログラムは、救急移動体で搬送された搬送者に関する情報であって、搬送者の搬送先の医療機関と、搬送時の前記搬送者のＣＰＡの有無に関する情報と、予後調査に関する情報の入力の有無に関する情報とを少なくとも含む搬送者情報が格納された医療機関データベースと通信可能な医療機関サーバのプログラムであって、受信したユーザ識別情報を照合する処理と、前記照合の結果が予後調査の入力権限を有する場合、前記ユーザ識別情報に対応付けられた医療機関を搬送先とし、搬送者が搬送時に心肺停止状態（CPA: Cardio pulmonary arrest）であり、予後調査に関する情報が未入力である検索条件に該当する搬送者情報を、前記医療機関データベースから検索する処理と、前記検索結果に基づいて、予後調査の入力案件の予後調査一覧情報を生成する処理と、前記予後調査一覧情報を、前記ユーザ識別情報を送信した医療機関端末に送信する処理とを医療機関サーバに実行させる。
【発明の効果】
【００１４】
本発明によれば、消防及び医療機関の予後調査にかかる労力を軽減することができる。
【図面の簡単な説明】
【００１５】
【図１】図１は本発明の実施形態に係る予後調査支援システムの概要を示すブロック図である。
【図２】図２は本発明の他の実施形態に係る予後調査支援システムの概要を示すブロック図である。
【図３】図３は、本発明の実施の形態に係る予後調査支援システムの具体的な構成を示すブロック図である。
【図４】図４は本発明の実施形態に係る消防ＤＢ１００に記憶される搬送者情報の一例を示す図である。
【図５】図５は本発明の実施形態に係る医療機関端末に表示される予後調査の一覧画面の一例を示す図である。
【図６】図６は本発明の実施形態に係る医療機関端末に表示される予後調査の入力画面の一例を示す図である。
【図７】図７は本発明の実施形態に係るプログラムで動作するコンピュータシステムの構成の一例を示す図である。
【発明を実施するための形態】
【００１６】
本発明の概要を説明する。
【００１７】
従来、予後調査は、消防から電話、メール、郵送等で医療機関に依頼し、医療機関ではその依頼に基づいて、予後調査を作成していた。しかし、依頼する消防側も、依頼される医療機関も多くの手間と時間を消費している。
【００１８】
そこで、本発明は、消防側から電話、メール、郵送等で医療機関に依頼することなく、医療機関の医師等が医療機関の端末で、入力しなければならない予後調査の一覧が表示されることを特徴とする。
【００１９】
図１は本発明の実施形態に係る予後調査支援システムの概要を示すブロック図である。具体的には、本発明は、医療機関データベース１と、医療機関の医療機関端末２と、医療機関サーバ３とを有する予後調査支援システムである。
【００２０】
医療機関データベース１は、救急移動体（例えば、救急車や救急ヘリコプター）で搬送された搬送者に関する情報であって、搬送者の搬送先の医療機関と、搬送時の搬送者の心肺停止状態（CPA: Cardio pulmonary arrest、以下、CPAと記載する）の有無に関する情報と、予後調査に関する情報の入力の有無に関する情報とを少なくとも含む搬送者情報が格納されている。ここで、搬送者情報とは、搬送者の搬送先の医療機関と、搬送時の搬送者のCPAの有無に関する情報と、予後調査に関する情報の入力の有無に関する情報以外にも、例えば、出場隊員の氏名及び所属等の情報、出動時刻、現着時刻、帰署時刻等の時刻情報、覚知情報、発生場所情報等の発生情報、搬送者の氏名、住所、年齢、呼吸回数、脈拍回数、血圧、心電図データなどのバイタルデータ、傷病者の頭部、頸部、胸部、腹部などの観察結果、酸素投与、気道確保、薬剤投与などの処置情報等の搬送時の情報のみならず、医療機関での処置、搬送者の心肺蘇生が成功した場合のその後の生活の質に関する情報（例えば、脳機能カテゴリー（ＣＰＣ：Cerebral Performance Categories）や全身機能カテゴリー（ＯＰＣ：Overall Performance Categories））等の予後調査に関する情報、予後調査の入力の有無の情報等を含んでも良い。
【００２１】
医療機関端末２は、例えば、各医療機関に設置される端末であり、医療機関サーバ３と、通信回線を介して接続されている。そして、予後調査の入力権限を有するユーザ（主に医師）のユーザ識別情報（ユーザＩＤ）により、医療機関サーバ３にログインする機能を有する。通常、ひとつの医療機関には、複数のユーザ識別情報が割り当てられているが、ひとつの医療機関に、ひとつのユーザ識別情報が割り当てられていても良い。そして、各ユーザは、予後調査の入力権限を有する各ユーザ識別情報により、医療機関端末２を用いて医療機関サーバ３にログイン可能である。例えば、図１の例では、医療機関ＡにはユーザＩＤ１，ユーザＩＤ２が割り当てられ、医療機関ＢにはユーザＩＤ３，ユーザＩＤ４が割り当てられ、医療機関ＣにはユーザＩＤ５が割り当てられている。そして、医療機関Ａのユーザは、医療機関端末２を用いてユーザＩＤ１，ユーザＩＤ２のいずれかにより、医療機関サーバ３にログインする。同様に、医療機関Ｂのユーザは、医療機関端末２を用いてユーザＩＤ３，ユーザＩＤ４のいずれかにより、医療機関サーバ３にログインする。同様に、医療機関Ｃのユーザは、医療機関端末２を用いてユーザＩＤ５により、医療機関サーバ３にログインする。
【００２２】
医療機関端末２は、医療機関サーバ３との間で情報の送受信を行う送受信部２１と、送受信部２１を介して、ユーザ識別情報を医療機関サーバ３に送信し、認証を行う認証部２２と、送受信手段２１を介して、医療機関サーバ３から一覧情報を受信し、一覧情報に基づいて、予後調査の入力案件の一覧の表示を制御する表示部２３とを有する。
【００２３】
医療機関サーバ３は、医療機関データベース１の搬送者情報のうち予後調査に該当する案件の情報を、医療機関端末２に送信するサーバである。医療機関サーバ３は、医療機関端末２との間で情報の送受信を行う送受信部３１と、ユーザ識別情報を照合する照合部３２と、照合の結果が予後調査の入力権限を有する場合、前記ユーザ識別情報に対応付けられた医療機関を搬送先とし、搬送者が搬送時にCPAであり、予後調査に関する情報が未入力である検索条件に該当する搬送者情報を、前記医療機関データベースから検索する検索部３３と、検索結果に基づいて、予後調査の入力案件の予後調査一覧情報を生成し、予後調査一覧情報を、ユーザ識別情報を送信した医療機関端末２に送信する予後調査一覧情報生成部３４とを有する。
【００２４】
医療機関サーバ３の照合部３２は、予後調査の入力権限を有するユーザのユーザ識別情報を記憶しており、医療機関端末２からのユーザ識別情報を照合する。例えば、図１の例では、照合部３２は、医療機関ＡとユーザＩＤ１，ユーザＩＤ２とが対応し、医療機関ＢとユーザＩＤ３，ユーザＩＤ４とが対応し、医療機関ＣとユーザＩＤ５とが対応していることを記憶している。
【００２５】
医療機関サーバ３の検索部３３は、照合部３２の照合の結果が予後調査の入力権限を有する場合、ユーザ識別情報に対応付けられた医療機関を搬送先とし、搬送者が搬送時にＣＰＡであり、予後調査に関する情報が未入力である検索条件（以下、予後調査検索条件と記載する）に該当する搬送者情報を、医療機関データベース１から検索する。尚、予後調査検索条件として、上述した条件に加えて、搬送後から所定期間（例えば、搬送者の収容日から24時間後、1週間後、1ヶ月後、1年後等の期間）に、予後調査が入力されていない案件であることの条件を加えるようにしても良い。また、予後調査検索条件は、これらに限られず、更に追加しても良い。
【００２６】
医療機関サーバ３の一覧情報生成部３４は、検索部３３の検索結果に基づいて、予後調査の入力が必要な案件を一覧にした一覧情報を生成する。この一覧情報は、医療機関データベース１に格納されている搬送者情報のうち予後調査検索条件に該当する搬送者情報のうちと、搬送者の収容先の医療機関名、収容日時、搬送者の年齢及び性別等の情報から、予後調査の案件の一覧情報を生成する。そして、この一覧情報は、ユーザ識別情報を送信した医療機関端末２に送信される。
【００２７】
次に、上記のように構成された予後調査支援システムの動作を、図１を用いて説明する。
【００２８】
まず、予後調査の入力権限を有するユーザ（例えば、医師）は、医療機関端末２の認証部２２を用いて、自己のユーザ識別情報により、医療機関サーバ３にログインする（Ｓｔｅｐ１００）。
【００２９】
医療機関サーバ３の照合部３２は、医療機関端末２から送信されてきたユーザ識別情報と記憶しているユーザ識別情報と照合する（Ｓｔｅｐ１０１）。照合結果が適切である場合、医療機関サーバ３の検索部３３は、ユーザ識別情報に対応付けられた医療機関を搬送先とし、搬送者が搬送時にＣＰＡであり、予後調査に関する情報が未入力である予後調査検索条件に該当する搬送者情報を、医療機関データベース１から検索する（Ｓｔｅｐ１０２）。
【００３０】
医療機関サーバ３の一覧情報生成部３４は、検索部３３の検索結果に基づいて、予後調査を入力する必要のある案件を一覧にした一覧情報を生成する（Ｓｔｅｐ１０３）。そして、一覧情報を、医療機関端末に送信する（Ｓｔｅｐ１０４）。
【００３１】
医療機関端末２の表示部２３は、受信した一覧情報に基づいて、予後調査が必要な案件を表示する（Ｓｔｅｐ１０５）。
【００３２】
このように、構成された予後調査支援システムによれば、消防側は、電話、メール、郵送等で医療機関に依頼する必要がなく、医療機関の医師等も所望の時間に、入力しなければならない予後調査の一覧を把握することができる。
【００３３】
更なる本発明の態様について説明する。図２は本発明の実施形態に係る他の予後調査支援システムの概要を示すブロック図である。
【００３４】
更なる本発明の態様は、上記の構成に加え、医療機関サーバ３は、医療機関端末２において表示された予後調査の入力案件一覧から選択された案件に対応した搬送者情報から予後調査の入力に必要な予後調査入力情報を生成する予後調査入力情報生成部３５と、医療機関端末２において予後調査情報が入力された案件について、医療機関データベース１の搬送者情報を更新する医療機関データベース更新手段３６とを有する。
【００３５】
予後調査入力情報生成部３５が生成する予後調査入力情報は、例えば、搬送者の搬送ＩＤ、予後調査の入力完了の有無、１か月後の生存、死亡等の情報、搬送者の心肺蘇生が成功した場合のその後の生活の質に関する情報（例えば、脳機能カテゴリー（ＣＰＣ：Cerebral Performance Categories）や全身機能カテゴリー（ＯＰＣ：Overall Performance Categories））等の予後調査に関する情報等を入力するための情報である。
【００３６】
医療機関端末２は、表示される予後調査の入力案件の一覧から、予後調査を入力する案件を選択したり、予後調査情報を入力する入力部２４を有する。入力部２４は、例えば、キーボードや、マウス等で操作されるユーザインターフェイスである。
【００３７】
更に、消防サーバ４と、消防データベース５と、連携サーバ６とを設ける。消防サーバ４と消防データベース５とは、予後調査が報告される消防側に設けられるものである。そして、連携サーバ６は、医療機関サーバ３と消防サーバ４とのゲートウェイの役割を行う。
【００３８】
尚、消防データベース５に格納されている搬送者情報は、医療機関データベース１に格納されている搬送者情報と同一ものであるが、一部が異なっていても良い。
【００３９】
消防サーバ４は、送受信部４１と、予後調査情報により、消防データベース５の搬送者情報を更新する更新部４２とを有する。
【００４０】
送受信部４１は、医療機関サーバ３を介して、又は、医療機関端末２により、入力された予後調査情報を受信する。
【００４１】
更新部４２は、連携サーバ６を介して受信した予後調査情報を用いて、消防データベース５に格納されている搬送者情報を更新する。
【００４２】
次に、上述した構成の予後調査支援システムの動作を説明する。
【００４３】
ユーザは、医療機関端末２に表示された予後調査の案件一覧から所望の案件を、入力部２４により選択する（Ｓｔｅｐ２００）。選択された案件情報は、医療機関サーバ３に送信される（Ｓｔｅｐ２０１）。
【００４４】
医療機関サーバ３では、選択された案件について、予後調査の入力に必要な予後調査入力情報を生成する（Ｓｔｅｐ２０２）。そして、予後調査入力情報を、医療端末２に送信する（Ｓｔｅｐ２０３）。
【００４５】
医療端末２では、入力部２４により、予後調査入力情報に基づいて、予後調査情報を入力する（Ｓｔｅｐ２０４）。そして、予後調査情報を、医療機関サーバ３に送信する（Ｓｔｅｐ２０５）。
【００４６】
医療機関サーバ３は、受信した予後調査情報により、医療機関データベース１の搬送者情報を更新する（Ｓｔｅｐ２０６）。
【００４７】
連携サーバ６は、医療機関サーバ３を介して医療機関データベース１から更新された搬送者情報を取得し、取得した予後調査情報を、消防サーバ４に送信する（Ｓｔｅｐ２０７）。
【００４８】
消防サーバ４は、受信した予後調査情報により、消防データベース５の搬送者情報を更新する（Ｓｔｅｐ２０８）。
【００４９】
これにより、医療機関データベース１の搬送者情報に、予後調査の情報が更新され、予後調査のペーパーレス化が図れる。また、消防側の端末からも消防サーバ４を介して、予後調査の情報が閲覧することができ、更に、その情報を出力することができるようにすれば、より、一層のペーパーレス化が図れる。
【００５０】
次に、具体的な実施の形態を説明する。
【００５１】
図３は本発明の実施形態に係る予後調査システムの具体的な構成を示すブロック図である。本実施の形態に係る予後調査支援システムは、救急隊員が使用する携帯端末５０と、消防機関のデータベース（消防ＤＢ）１００と、消防機関の消防端末１５０と、消防機関の消防サーバ２００と、医療機関のデータベース（医療機関ＤＢ）３００と、医療機関サーバ４００と、各医療機関の医療機関端末２５０と、ゲートウェイサーバ６００とを備える。消防サーバ２００と医療機関サーバ４００とは、ゲートウェイサーバ６００を介して接続されている。消防サーバ２００と携帯端末５０とは、通信網６０２及びゲートウェイサーバ６００を介して接続されている。
【００５２】
携帯端末５０は、救急移動体内で使用されるタブレット端末、ノートパソコン等である。尚、救急移動体は、代表的なものとして救急車があるが、これに限られず、例えば、救急用ヘリコプター等でも良い。そして、携帯端末５０は、救急隊員による入力操作に応じて、搬送者情報の入力画面を表示し、通信網６０２から、ゲートウェイサーバ６００を介して、入力された搬送者情報を消防サーバ２００に送信する。
【００５３】
消防ＤＢ１００は、救急移動体により搬送された搬送者に関する搬送者情報を記憶する。消防ＤＢ１００に記憶される搬送者情報を図４に例示する。搬送者情報は、例えば、搬送ＩＤ、搬送者の年齢と性別、収容医療機関、収容日時、ＣＰＡ（心肺停止）の有無等の搬送時の情報のみならず、予後調査入力完了フラグ、２４時間後の状態、1週間後の状態、1ヶ月後の状態、1年後の状態、搬送者の心肺蘇生が成功した場合のその後の生活の質に関する情報（例えば、脳機能カテゴリー（ＣＰＣ：Cerebral Performance Categories）や全身機能カテゴリー（ＯＰＣ：Overall Performance Categories））、心肺再開の日時、死亡日時、ＩＣＵ（Intensive Care Unit:集中治療室）の入室の有無、転院先病院名等の予後調査に関する情報等のデータ項目を含む。
【００５４】
ここで、搬送ＩＤは、搬送者情報を識別するためのＩＤである。また、ＣＰＡ（心肺停止）有無は、搬送時の搬送者の心肺停止状態（CPA: Cardio pulmonary arrest）の有無に関する情報である。
【００５５】
尚、消防ＤＢ１００に記憶されている搬送者情報は、ゲートウェイサーバ６００を介して、医療サーバに送信され、医療機関ＤＢ３００が更新される。結果として、消防ＤＢ１００に記憶されている搬送者情報と医療機関ＤＢ３００に記憶されている搬送者情報とは、基本的には同様な内容となる。
【００５６】
消防端末１５０は、消防機関に設置される端末であり、予後調査閲覧要求部１５１と、表示部１５２とを備える。
【００５７】
予後調査閲覧要求部１５１は、予後調査が入力済み又は未入力の案件を指定するための入力画面を表示し、入力済み又は未入力の案件の予後調査の閲覧を消防サーバ２００に送信する。例えば、予後調査が入力済みの案件や、予後調査が未入力の案件等の検索条件を指定し、消防サーバ２００に送信し、消防サーバ２００が消防ＤＢ１００の搬送者情報を検索して、該当する予後調査情報の一覧を消防端末１５０に送信して表示させ、その一覧表示画面において、所望の予後調査を操作者に選択させるようにする。
【００５８】
消防サーバ２００は、搬送者情報登録部２０１と、消防ＤＢ更新部２０２と、予後調査結果取得部２０３とを備える。消防サーバ２００は、消防ＤＢ１００と、消防端末１５０とゲートウェイサーバ６００とに接続される。
【００５９】
搬送者情報登録部２０１は、ゲートウェイサーバ６００を介して、携帯端末５０から受信した搬送者情報を消防ＤＢ１００に登録する。尚、消防ＤＢ１００に登録された搬送者情報は、ゲートウェイサーバ６００により、医療サーバ４００に送信され、医療機関ＤＢ３００にも登録される。このとき、医療サーバ４００には、搬送者情報の一部のデータ項目（搬送ＩＤを含む）の値（情報）のみを送信するようにしてもよい。
【００６０】
消防ＤＢ更新部２０２は、ゲートウェイサーバ６００から送信される予後調査情報を受信し、消防ＤＢ１００の搬送者情報のうち該当する搬送者情報の予後調査の項目（例えば、予後調査入力完了フラグ、２４時間後の状態、1週間後の状態、1ヶ月後の状態、1年後の状態、脳機能カテゴリー（ＣＰＣ：Cerebral Performance Categories）や全身機能カテゴリー（ＯＰＣ：Overall Performance Categories））、心肺再開の日時、死亡日時、ＩＣＵ（Intensive Care Unit:集中治療室）の入室の有無、転院先病院名等の予後調査に関する情報）を更新する。
【００６１】
予後調査結果取得部２０３は、予後調査閲覧要求部１５１からの予後調査案件の閲覧要求に応答して、消防ＤＢ１００から予後調査に関する情報を出力する。例えば、閲覧要求が入力済みの予後調査の案件である場合、消防ＤＢ１００において該当する搬送者情報の「予後調査入力完了フラグ」のデータ項目に、入力完了フラグに”１”が設定されている搬送者情報の項目のうち、予後調査に関係する項目、例えば、搬送ＩＤ、搬送者の年齢と性別、収容医療機関、収容日時、ＣＰＡ（心肺停止）有無、予後調査入力完了フラグ、２４時間後の状態、1週間後の状態、1ヶ月後の状態、1年後の状態、医療機関での処置、搬送者の心肺蘇生が成功した場合のその後の生活の質に関する情報（例えば、脳機能カテゴリー（ＣＰＣ：Cerebral Performance Categories）や全身機能カテゴリー（ＯＰＣ：Overall Performance Categories））、心肺再開の日時、死亡日時等の予後調査に関する情報等を取得し、消防端末１５０に送信する。
【００６２】
医療機関端末２５０は、各医療機関に設置され、医師により操作される端末であり、認証部２５１と、表示部２５２と、予後調査入力部２５３とを備える。尚、医療機関端末２５０は、通信網６０１を介して医療機関サーバ４００と接続されているが、通信網６０１を介さずに、医療機関サーバ４００と直接接続されていても良い。
【００６３】
認証部２５１は、入力されたユーザ識別情報を医療機関サーバ４００に送信し、認証を行う。通常、ひとつの医療機関には、複数のユーザ識別情報が割り当てられているが、ひとつの医療機関に、ひとつのユーザ識別情報が割り当てられている場合であっても良い。そして、各ユーザは、その予後調査の入力権限を有する各ユーザ識別情報により、医療機関端末２５０を用いて医療機関サーバ４００にログイン可能である。
【００６４】
表示部２５２は、医療機関サーバ４００から一覧情報を受信し、一覧情報に基づいて、予後調査の入力案件の一覧を表示したり、予後調査の入力画面を表示したりする。
【００６５】
予後調査入力部２５３は、医療機関ＤＢ３００に予後調査の対象事案として記憶されている搬送者情報について、医師による予後調査の入力を受け付け、入力された予後調査の情報を医療機関サーバ４００に送信する。
【００６６】
医療機関ＤＢ３００は、搬送者情報を記憶する。医療機関ＤＢ３００には消防ＤＢ１００と同じ案件（同じ搬送ＩＤ）の搬送者情報が記憶される。
【００６７】
医療機関サーバ４００は、搬送者情報登録部４０１と、照合部４０２と、検索部４０３と、予後調査一覧情報生成部４０４と、予後調査入力情報生成部４０５と、医療機関ＤＢ更新部４０６とを備える。医療機関サーバ４００は、ゲートウェイサーバ６００と、医療機関ＤＢ３００とに接続されている。また、通信網６０１を介して、医療機関端末２５０と接続されている。
【００６８】
搬送者情報登録部４０１は、ゲートウェイサーバ６００から受信した搬送者情報を医療機関ＤＢ３００に登録する。
【００６９】
照合部４０２は、予後調査の入力権限を有するユーザのユーザ識別情報を記憶しており、医療機関端末２５０からのユーザ識別情報を照合する。例えば、照合部４０２は、医療機関Ａのユーザ識別情報、医療機関Ｂのユーザ識別情報、医療機関Ｃのユーザ識別情報を記憶している。
【００７０】
検索部４０３は、照合部４０２の照合の結果が予後調査の入力権限を有する場合、ユーザ識別情報に対応付けられた医療機関を搬送先（収容先）とし、搬送者が搬送時にＣＰＡであり、予後調査に関する情報が未入力である予後調査検索条件に該当する搬送者情報を、医療機関ＤＢ３００から検索する。
【００７１】
一覧情報生成部４０４は、検索部４０３の検索結果に基づいて、予後調査の入力が必要な案件を一覧にした一覧情報を生成する。この一覧情報は、医療機関ＤＢ３００に格納されている予後調査検索条件に該当する搬送者情報のうち、搬送者の収容先の医療機関名、収容日時、搬送者の年齢及び性別等の情報から、予後調査の案件の一覧情報を生成する。そして、この一覧情報は、ユーザ識別情報を送信した医療機関端末２５０に送信される。
【００７２】
予後調査入力情報生成部４０５は、医療機関端末２５０において表示された予後調査の入力案件一覧から選択された案件に対応した搬送者情報から予後調査の入力に必要な予後調査入力情報を生成する。
【００７３】
医療機関ＤＢ更新部４０６は、医療機関端末２５０において予後調査情報が入力された案件について、医療機関ＤＢ３００の搬送者情報を更新する。
【００７４】
次に、上述の構成の予後調査支援システムにおける処理動作を説明する。
【００７５】
まず、救急隊員により携帯端末５０から搬送者情報が入力され、入力された搬送者情報は消防サーバ２００に送信される。消防サーバ２００の搬送者情報登録部２０１は、携帯端末５０からの搬送者情報を、消防ＤＢ１００に登録する。ゲートウェイサーバ６００は、消防ＤＢ１００に登録された搬送者情報を、医療機関サーバ４００に送信する。そして、医療機関サーバ４００の搬送者情報登録部４０１は、ゲートウェイサーバ６００から受信した搬送者情報を医療機関ＤＢ３００に登録する。これにより、消防ＤＢ１００及び医療機関ＤＢ３００に搬送者情報が登録されることになる。
【００７６】
次に、所定の期間の経過後、予後調査の入力権限を有するユーザ（例えば、医師）は、医療機関端末２５０の認証部２５１を用いて、自己のユーザ識別情報により、医療機関サーバ４００にログインする。
【００７７】
医療機関サーバ４００の照合部４０２は、医療機関端末２５０から送信されてきたユーザ識別情報と記憶しているユーザ識別情報と照合する。照合結果が適切である場合、検索部４０３は、ユーザ識別情報に対応付けられた医療機関を搬送先とし、搬送者が搬送時にＣＰＡであり、予後調査に関する情報が未入力である予後調査検索条件に該当する搬送者情報を、医療機関ＤＢ３００から検索する。続いて、一覧情報生成部４０４は、検索部４０３の検索結果に基づいて、予後調査を入力する必要のある案件を一覧にした一覧情報を生成する。そして、一覧情報を、医療機関端末２５０に送信する。
【００７８】
医療機関端末２５０の表示部２５２は、受信した一覧情報に基づいて、予後調査が必要な案件を表示する。図５に、表示部２５２に表示される予後調査の一覧画面の一例を示す。一覧画面には、搬送ＩＤと、収容医療機関名と、搬送者の年齢及び性別、収容日が表示され、２４時間後の状態、1週間後の状態、1ヶ月後の状態、又は、1年後の状態の予後調査を入力する選択のチェックボタンが表示されている。
【００７９】
次に、ユーザは、医療機関端末２５０の表示部２５２に表示された予後調査の案件一覧から所望の案件を、予後調査入力部２５３により選択する。選択された案件情報は、医療機関サーバ４００に送信される。
【００８０】
医療機関サーバ４００の予後調査入力情報生成部４０５では、選択された案件について、予後調査の入力に必要な予後調査入力情報を生成する。例えば、予後調査入力情報生成部４０５は、該当案件の予後調査に関係する項目、例えば、搬送ＩＤ、２４時間後の状態、1週間後の状態、1ヶ月後の状態（生存の有無）、1年後の状態、搬送者の心肺蘇生が成功した場合のその後の生活の質に関する情報（例えば、脳機能カテゴリー（ＣＰＣ：Cerebral Performance Categories）や全身機能カテゴリー（ＯＰＣ：Overall Performance Categories））、集中治療室入室の有無、心肺再開の日時、死亡日時、転院先病院名等の予後調査に関する情報を入力するための予後調査入力情報を生成する。そして、予後調査入力情報を、医療端末２５０に送信する。
【００８１】
医療端末２５０の表示部２５２は、受信した予後調査入力情報に基づいて、予後調査の入力画面を表示する。図６に、表示部２５２に表示される予後調査の入力画面の一例を示す。入力画面には、搬送ＩＤ、２４時間後の状態、1週間後の状態、1ヶ月後の状態（生存の有無）、1年後の状態、搬送者の心肺蘇生が成功した場合のその後の生活の質に関する情報（例えば、脳機能カテゴリー（ＣＰＣ：Cerebral Performance Categories）や全身機能カテゴリー（ＯＰＣ：Overall Performance Categories））、心肺再開の日時、集中治療室入室の有無、死亡日時、転院先病院名等の予後調査を入力するための情報が表示されている。
【００８２】
ユーザは、予後調査入力部２５３により、予後調査入力画面の項目に対して、予後調査情報を入力する。そして、入力された予後調査情報は、医療機関サーバ４００に送信される。
【００８３】
医療機関サーバ４００の医療機関ＤＢ更新部４０６は、医療機関端末２５０から送信されてきた予後調査情報に基づいて、医療機関ＤＢ３００の搬送者情報を更新する。また、ゲートウェイサーバ６００は、その更新された搬送者情報(予後調査情報)を、消防サーバ２００にも送信する。そして、消防サーバ２００の消防ＤＢ更新部２０２は、ゲートウェイサーバ６００からの搬送者情報(予後調査情報)により、消防ＤＢ１００の搬送者情報を更新する。
【００８４】
このようにして、医療機関ＤＢ３００の搬送者情報と消防ＤＢ１００の搬送者情報とは同期し、予後調査情報が消防ＤＢ１００の搬送者情報にも反映される。これにより、消防端末１５０の予後調査閲覧要求部１５１は、消防ＤＢ１００の搬送者情報の予後調査入力済みの有無により、予後調査が入力された案件の予後調査の内容や、予後調査が入力されていない案件の閲覧を要求することができ、それらの内容を表示部１５２に表示することができる。また、消防ＤＢ１００に格納されている予後調査の情報を用いて、国に報告する報告書を作成したり、予後調査の統計を作成することも可能である。
【００８５】
本発明によれば、予後調査情報のペーパーレス化（電子化）、医療機関と消防とでの予後調査報告情報を共有化することができ、予後調査報告業務の効率化がはかることができ、消防及び医療機関の予後調査にかかる労力を軽減することができる。
【００８６】
尚、上述した実施の形態では、各部をハードウェアで構成したが、上述した動作の処理を情報処理装置（ＣＰＵ）に行わせるプログラムによっても構成できる。図７は本発明の実施形態に係るプログラムで動作するコンピュータシステムの構成の一例を示す図である。
【００８７】
例えば、医療機関サーバ４００は、図７に示す如く、メモリ５００と、ＣＰＵ５０１と、出力部５０２と、入力部５０３と、通信部５０４とから構成されるコンピュータシステムによって実現可能である。この場合、メモリ５００には、上述した搬送者情報登録部４０１と、照合部４０２と、検索部４０３と、予後調査一覧情報生成部４０４と、予後調査入力情報生成部４０５と、医療機関ＤＢ更新部４０６とに対応する処理を行うプログラムが格納されている。そして、ＣＰＵ５０１がメモリ５００に格納されているプログラムを実行することで、搬送者情報登録部４０１と、照合部４０２と、検索部４０３と、予後調査一覧情報生成部４０４と、予後調査入力情報生成部４０５と、医療機関ＤＢ更新部４０６との機能が実現される。消防サーバ２００も同様である。
【００８８】
以上好ましい実施の形態をあげて本発明を説明したが、本発明は必ずしも上記実施の形態に限定されるものではなく、その技術的思想の範囲内において様々に変形し実施することが出来る。
【符号の説明】
【００８９】
１      医療機関データベース
２      医療機関端末
３      医療機関サーバ
４      消防サーバ
５      消防データベース
２１    送受信部
２２    認証部
２３    表示部
３１    送受信部
３２    照合部
３３    検索部
３４    予後調査一覧情報生成部
４１    送受信部
４２    更新部
５０    携帯端末
１００  消防ＤＢ
１５０  消防端末
１５１  予後調査閲覧要求部
１５２  表示部
２００  消防サーバ
２０１  搬送者情報登録部
２０２  消防ＤＢ更新部
２０３  予後調査結果取得部
２５０  医療機関端末
２５１  認証部
２５２  表示部
２５３  予後調査入力部
３００  医療機関ＤＢ
４００  医療機関サーバ
４０１  搬送者情報登録部
４０２  照合部
４０３  検索部
４０４  予後調査一覧情報生成部
４０５  予後調査入力情報生成部
４０６  医療機関ＤＢ更新部
【図１】
0006562199.tif 000002
【図２】
0006562199.tif 000003
【図３】
0006562199.tif 000004
【図４】
0006562199.tif 000005
【図５】
0006562199.tif 000006
【図６】
0006562199.tif 000007
【図７】
0006562199.tif 000008